(57)【要約】【課題】本発明の目的は、異なる規格を有すると共に、ユーザーが異なるニーズに応じて所望の規格まで伸縮変形できる、用途が広くて使用に便利となる効果を有する、伸縮変形可能なＵＳＢ接続装置及び伸縮変形可能な接続装置を提供することにある。【解決手段】本発明に係る伸縮変形可能なＵＳＢ接続装置は、第１の絶縁本体及び第１の端子ユニットを含む第１のモジュールと、第２の絶縁本体及び第２の端子ユニットを含む第２のモジュールと、を含む。第２のモジュールは第１のモジュールの上に前後移動可能に設置される。第２のモジュールは、第１の位置と第２の位置との間に移動する。第２のモジュールが第１の位置までに移動されると、第２の端子ユニットと第１の端子ユニットが電気的に接続する。第２のモジュールが第２の位置までに移動されると、第２の端子ユニットと第１の端子ユニットが電気的に分離する。これにより、ユーザーが異なるニーズに応じて所望の規格まで伸縮変形できるため、用途が広くて使用に便利となる効果を有する。【選択図】図４
2014041825.tif 000002
【特許請求の範囲】
【請求項１】
第１の絶縁本体と、前記第１の絶縁本体に設けられており、複数の第１の端子及び複数の第２の端子を含む第１の端子ユニットと、を含む第１のモジュールと、
第２の絶縁本体と、前記第２の絶縁本体に設けられており、複数の第３の端子及び複数の第４の端子を含む第２の端子ユニットと、を含む第２のモジュールと、
を含み、
各第１の端子には第１の接触部及び第１の半田付け部がそれぞれ形成され、各第２の端子には第２の接触部及び第２の半田付け部がそれぞれ形成され、各第３の端子には第３の接触部及び第１の電気的接続部がそれぞれ形成され、各第４の端子には第４の接触部及び第２の電気的接続部がそれぞれ形成され、
前記第２のモジュールは、前記第１のモジュールの上に前後移動可能に設置され、第１の位置と第２の位置との間に移動し、
前記第２のモジュールが前記第１の位置までに移動されると、複数の第１の電気的接続部及び複数の第２の電気的接続部は対応する複数の第１の接触部及び複数の第２の接触部に接触することによって、前記第２の端子ユニットと前記第１の端子ユニットを電気的に接続させ、
前記第２のモジュールが前記第２の位置までに移動されると、前記複数の第１の電気的接続部及び前記複数の第２の電気的接続部は対応する前記複数の第１の接触部及び前記複数の第２の接触部から離れることによって、前記第２の端子ユニットと前記第１の端子ユニットを電気的に分離させることを特徴とする伸縮変形可能なＵＳＢ接続装置。
【請求項２】
前記第１のモジュールは、ＵＳＢ  Ａ型、ＵＳＢ  Ｂ型、マイクロＵＳＢ又はミニＵＳＢの規格であり、前記第２のモジュールは、ＵＳＢ  Ａ型、ＵＳＢ  Ｂ型、マイクロＵＳＢ又はミニＵＳＢの規格であることを特徴とする請求項１に記載の伸縮変形可能なＵＳＢ接続装置。
【請求項３】
前記第１の絶縁本体は、ホルダー部及びストッパー部を有し、
前記ストッパー部は、前記ホルダー部の後端に接続され、
前記複数の第１の端子の前記第１の接触部及び前記複数の第２の端子の前記第２の接触部は、前記ホルダー部の一方の表面に露出し、
前記第２のモジュールは、前記第１の絶縁本体の前記ホルダー部の上に前後移動可能に設置されることを特徴とする請求項１に記載の伸縮変形可能なＵＳＢ接続装置。
【請求項４】
前記第２のモジュールは前段部及び後段部に区分され、
前記前段部と前記後段部との間にヒンジ構造により相互にヒンジ接続し合うことを特徴とする請求項１に記載の伸縮変形可能なＵＳＢ接続装置。
【請求項５】
前記第２のモジュールの前記前段部の第２の絶縁本体は、左右両部分に分けられ、
前記複数の第３の端子及び前記複数の第４の端子は、前記第２の絶縁本体の左右両部分にそれぞれ設置されることによって、前記第２のモジュールには、独立の第１のユニット及び第２のユニットが形成されることを特徴とする請求項４に記載の伸縮変形可能なＵＳＢ接続装置。
【請求項６】
前記第２のモジュールには押しボタンが設けられ、
前記第１のモジュールの外部は外装カバーに包まれ、
前記外装カバーには摺動溝が設けられ、
前記第２のモジュールの前記押しボタンは、前記外装カバーの前記摺動溝の中に移動可能に設置されることを特徴とする請求項１に記載の伸縮変形可能なＵＳＢ接続装置。
【請求項７】
前記伸縮変形可能なＵＳＢ接続装置は給電装置又はＵＳＢ集線装置に接続されることを特徴とする請求項１に記載の伸縮変形可能なＵＳＢ接続装置。
【請求項８】
前記伸縮変形可能なＵＳＢ接続装置の両側には、アダプターを結合させるためのスライド溝又はヒンジ接続部がそれぞれ形成されることを特徴とする請求項１に記載の伸縮変形可能なＵＳＢ接続装置。
【請求項９】
第１の絶縁本体と、前記第１の絶縁本体に設けられており、複数の第１の端子を含む第１の端子ユニットと、を含む第１のモジュールと、
第２の絶縁本体と、前記第２の絶縁本体に設けられており、複数の第３の端子を含む第２の端子ユニットと、を含む第２のモジュールと、
を含み、
各第１の端子には第１の接触部及び第１の半田付け部がそれぞれ形成され、各第３の端子には第３の接触部及び第１の電気的接続部がそれぞれ形成され、
前記第２のモジュールは、前記第１のモジュールの上に前後移動可能に設置され、第１の位置と第２の位置との間に移動し、
前記第２のモジュールが前記第１の位置までに移動されると、複数の第１の電気的接続部は対応する複数の第１の接触部に接触することによって、前記第２の端子ユニットと前記第１の端子ユニットを電気的に接続させ、
前記第２のモジュールが前記第２の位置までに移動されると、前記複数の第１の電気的接続部は対応する前記複数の第１の接触部から離れることによって、前記第２の端子ユニットと前記第１の端子ユニットを電気的に分離させることを特徴とする伸縮変形可能なＵＳＢ接続装置。
【請求項１０】
前記第１のモジュールは、ＵＳＢ  Ａ型、ＵＳＢ  Ｂ型、マイクロＵＳＢ又はミニＵＳＢの規格であり、前記第２のモジュールは、ＵＳＢ  Ａ型、ＵＳＢ  Ｂ型、マイクロＵＳＢ又はミニＵＳＢの規格であることを特徴とする請求項９に記載の伸縮変形可能なＵＳＢ接続装置。
【請求項１１】
前記第１の絶縁本体は、ホルダー部及びストッパー部を有し、
前記ストッパー部は、前記ホルダー部の後端に接続され、
前記複数の第１の端子の前記第１の接触部は、前記ホルダー部の一方の表面に露出し、
前記第２のモジュールは、前記第１の絶縁本体の前記ホルダー部の上に前後移動可能に設置されることを特徴とする請求項９に記載の伸縮変形可能なＵＳＢ接続装置。
【請求項１２】
前記第２のモジュールは前段部及び後段部に区分され、
前記前段部と前記後段部との間にヒンジ構造により相互にヒンジ接続し合うことを特徴とする請求項９に記載の伸縮変形可能なＵＳＢ接続装置。
【請求項１３】
前記第２のモジュールには押しボタンが設けられ、
前記第１のモジュールの外部は外装カバーに包まれ、
前記外装カバーには摺動溝が設けられ、
前記第２のモジュールの前記押しボタンは、前記外装カバーの前記摺動溝の中に移動可能に設置されることを特徴とする請求項９に記載の伸縮変形可能なＵＳＢ接続装置。
【請求項１４】
前記伸縮変形可能なＵＳＢ接続装置は給電装置又はＵＳＢ集線装置に接続されることを特徴とする請求項９に記載の伸縮変形可能なＵＳＢ接続装置。
【請求項１５】
前記伸縮変形可能なＵＳＢ接続装置の両側には、アダプターを結合させるためのスライド溝又はヒンジ接続部がそれぞれ形成されることを特徴とする請求項９に記載の伸縮変形可能なＵＳＢ接続装置。
【請求項１６】
第１の絶縁本体と、前記第１の絶縁本体に設けられており、複数の第１の端子及び複数の第２の端子を含む第１の端子ユニットと、を含む第１のモジュールと、
第２の絶縁本体と、前記第２の絶縁本体に設けられており、複数の第３の端子及び複数の第４の端子を含む第２の端子ユニットと、を含む第２のモジュールと、
を含み、
各第１の端子には二つの第１の接触部及び第１の半田付け部がそれぞれ形成され、各第２の端子には二つの第２の接触部及び第２の半田付け部がそれぞれ形成され、各第３の端子には第３の接触部及び第１の電気的接続部がそれぞれ形成され、各第４の端子には第４の接触部及び第２の電気的接続部がそれぞれ形成され、
前記複数の第１の端子の前記二つの第１の接触部は異なる前後位置にあり、前記複数の第２の端子の前記二つの第２の接触部は異なる前後位置にあり、
前記第２のモジュールは、前記第１のモジュールの上に前後移動可能に設置され、第１の位置と第２の位置との間に移動し、
前記第２のモジュールが前記第１の位置又は前記第２の位置までに選択的移動されると、複数の第１の電気的接続部及び複数の第２の電気的接続部は対応する複数の第１の接触部及び複数の第２の接触部に接触することによって、前記第２の端子ユニットと前記第１の端子ユニットを電気的に接続させることを特徴とする伸縮変形可能なＵＳＢ接続装置。
【請求項１７】
第１の絶縁本体と、前記第１の絶縁本体に設けられており、複数の第１の端子を含む第１の端子ユニットと、を含む第１のモジュールと、
第２の絶縁本体と、前記第２の絶縁本体に設けられており、複数の第３の端子を含む第２の端子ユニットと、を含む第２のモジュールと、
を含み、
各第１の端子には第１の接触部及び第１の半田付け部がそれぞれ形成され、各第３の端子には第３の接触部及び第１の電気的接続部がそれぞれ形成され、
前記第２のモジュールは、前記第１のモジュールの上に前後移動可能に設置され、第１の位置と第２の位置との間に移動し、
前記第２のモジュールが前記第１の位置までに移動されると、複数の第１の電気的接続部は対応する複数の第１の接触部に接触することによって、前記第２の端子ユニットと前記第１の端子ユニットを電気的に接続させ、
前記第２のモジュールが前記第２の位置までに移動されると、前記複数の第１の電気的接続部は対応する前記複数の第１の接触部から離れることによって、前記第２の端子ユニットと前記第１の端子ユニットを電気的に分離させることを特徴とする伸縮変形可能な接続装置。
【発明の詳細な説明】
【技術分野】
【０００１】
本発明は、接続装置に関し、特にＵＳＢ規格に準拠する伸縮変形可能なＵＳＢ接続装置及び伸縮変形可能な接続装置に関する。
【背景技術】
【０００２】
ユニバーサル・シリアル・バス（Ｕｎｉｖｅｒｓａｌ Ｓｅｒｉａｌ Ｂｕｓ、以下、ＵＳＢと称する）は、現今の通信機器によく用いられるインターフェースバス（ｉｎｔｅｒｆａｃｅ ｂｕｓ）規格である。各種の通信機器には、通常一つ又は複数のＵＳＢコネクターが設けられる。ポータブル通信（ｐｏｒｔａｂｌｅ ｃｏｍｍｕｎｉｃａｔｉｏｎ）機器に対する軽薄短小のニーズに応じて、体積が小さいミニＵＳＢ（Ｍｉｎｉ  ＵＳＢ）コネクター及びマイクロＵＳＢ（Ｍｉｃｒｏ  ＵＳＢ）コネクターは次々と開発されている。
【０００３】
しかしながら、現在のＵＳＢコネクターは何れも、例えばＵＳＢ  Ａ型、ＵＳＢ  Ｂ型、ミニＵＳＢ、マイクロＵＳＢなどの単一規格で設計されるため、用途が制限られ、使用に不便が生じる。他の形式のコネクターも同様な問題点がある。
【発明の概要】
【発明が解決しようとする課題】
【０００４】
本発明の目的は、異なる規格を有すると共に、ユーザーが異なるニーズに応じて所望の規格まで伸縮変形できる、用途が広くて使用に便利となる効果を有する、伸縮変形可能なＵＳＢ接続装置及び伸縮変形可能な接続装置を提供することにある。
【課題を解決するための手段】
【０００５】
上記の目的を達成するために、本発明に係る伸縮変形可能なＵＳＢ接続装置は、第１の絶縁本体と該第１の絶縁本体に設けられており複数の第１の端子及び複数の第２の端子を含む第１の端子ユニットとを含む第１のモジュールと、第２の絶縁本体と該第２の絶縁本体に設けられており複数の第３の端子及び複数の第４の端子を含む第２の端子ユニットとを含む第２のモジュールと、を含む。各第１の端子には第１の接触部及び第１の半田付け部がそれぞれ形成される。各第２の端子には第２の接触部及び第２の半田付け部がそれぞれ形成される。各第３の端子には第３の接触部及び第１の電気的接続部がそれぞれ形成される。各第４の端子には第４の接触部及び第２の電気的接続部がそれぞれ形成される。第２のモジュールは第１のモジュールの上に前後移動可能に設置される。第２のモジュールは、第１の位置と第２の位置との間に移動する。第２のモジュールが第１の位置までに移動されると、複数の第１の電気的接続部及び複数の第２の電気的接続部は対応する複数の第１の接触部及び複数の第２の接触部に接触することによって、第２の端子ユニットと第１の端子ユニットを電気的に接続させる。第２のモジュールが第２の位置までに移動されると、複数の第１の電気的接続部及び複数の第２の電気的接続部は対応する複数の第１の接触部及び複数の第２の接触部から離れることによって、第２の端子ユニットと第１の端子ユニットを電気的に分離させる。
【０００６】
他の実施例において、本発明に係る伸縮変形可能なＵＳＢ接続装置は、第１の絶縁本体と該第１の絶縁本体に設けられており複数の第１の端子を含む第１の端子ユニットとを含む第１のモジュールと、第２の絶縁本体と該第２の絶縁本体に設けられており複数の第３の端子を含む第２の端子ユニットとを含む第２のモジュールと、を含む。各第１の端子には第１の接触部及び第１の半田付け部がそれぞれ形成される。各第３の端子には第３の接触部及び第１の電気的接続部がそれぞれ形成される。第２のモジュールは第１のモジュールの上に前後移動可能に設置される。第２のモジュールは、第１の位置と第２の位置との間に移動する。第２のモジュールが第１の位置までに移動されると、複数の第１の電気的接続部は対応する複数の第１の接触部に接触することによって、第２の端子ユニットと第１の端子ユニットを電気的に接続させる。第２のモジュールが第２の位置までに移動されると、複数の第１の電気的接続部は対応する複数の第１の接触部から離れることによって、第２の端子ユニットと第１の端子ユニットを電気的に分離させる。
【０００７】
他の実施例において、本発明に係る伸縮変形可能な接続装置は、第１の絶縁本体と該第１の絶縁本体に設けられており複数の第１の端子を含む第１の端子ユニットとを含む第１のモジュールと、第２の絶縁本体と該第２の絶縁本体に設けられており複数の第３の端子を含む第２の端子ユニットとを含む第２のモジュールと、を含む。各第１の端子には第１の接触部及び第１の半田付け部がそれぞれ形成される。各第３の端子には第３の接触部及び第１の電気的接続部がそれぞれ形成される。第２のモジュールは第１のモジュールの上に前後移動可能に設置される。第２のモジュールは、第１の位置と第２の位置との間に移動する。第２のモジュールが第１の位置までに移動されると、複数の第１の電気的接続部は対応する複数の第１の接触部に接触することによって、第２の端子ユニットと第１の端子ユニットを電気的に接続させる。第２のモジュールが第２の位置までに移動されると、複数の第１の電気的接続部は対応する複数の第１の接触部から離れることによって、第２の端子ユニットと第１の端子ユニットを電気的に分離させる。
【発明の効果】
【０００８】
本発明に係る伸縮変形可能なＵＳＢ接続装置及び伸縮変形可能な接続装置によれば、異なる規格を有すると共に、第２のモジュールが第１のモジュールの上に前後移動可能に設置されるように伸縮変形可能なデザインを採用するため、ユーザーが第１のモジュール若しくは第２のモジュールを自由に選択でき、これにより、用途が広くて使用に便利となるという効果を奏することができる。
【図面の簡単な説明】
【０００９】
【図１】本発明の第１の実施例に係る伸縮変形可能なＵＳＢ接続装置における第２のモジュールの立体分解図である。
【図２】本発明の第１の実施例に係る伸縮変形可能なＵＳＢ接続装置における第２のモジュールの立体模式図である。
【図３】本発明の第１の実施例に係る伸縮変形可能なＵＳＢ接続装置の立体分解図である。
【図４】本発明の第１の実施例に係る伸縮変形可能なＵＳＢ接続装置の立体模式図である。
【図５】本発明の第１の実施例に係る伸縮変形可能なＵＳＢ接続装置の使用状態の模式図である。
【図６】本発明の第１の実施例に係る伸縮変形可能なＵＳＢ接続装置の他の使用状態の模式図である。
【図７】本発明の第２の実施例に係る伸縮変形可能なＵＳＢ接続装置の使用状態の模式図である。
【図８】本発明の第３の実施例に係る伸縮変形可能なＵＳＢ接続装置における第２のモジュールの立体分解図である。
【図９】本発明の第３の実施例に係る伸縮変形可能なＵＳＢ接続装置の立体分解図である。
【図１０】本発明の第３の実施例に係る伸縮変形可能なＵＳＢ接続装置の立体模式図である。
【図１１】本発明の第４の実施例に係る伸縮変形可能なＵＳＢ接続装置の立体模式図である。
【図１２】本発明の第５の実施例に係る伸縮変形可能なＵＳＢ接続装置の立体模式図である。
【図１３】本発明の第６の実施例に係る伸縮変形可能なＵＳＢ接続装置の立体分解図である。
【図１４】本発明の第７の実施例に係る伸縮変形可能なＵＳＢ接続装置の立体分解図である。
【図１５】本発明の第８の実施例に係る伸縮変形可能なＵＳＢ接続装置の立体分解図である。
【図１６】本発明の第９の実施例に係る伸縮変形可能なＵＳＢ接続装置の立体分解図である。
【図１７】本発明の第１０の実施例に係る伸縮変形可能なＵＳＢ接続装置の立体模式図である。
【図１８】本発明の第１１の実施例に係る伸縮変形可能なＵＳＢ接続装置の立体模式図である。
【図１９】本発明の第１２の実施例に係る伸縮変形可能なＵＳＢ接続装置の立体模式図である。
【発明を実施するための形態】
【００１０】
以下、本発明の特徴及び技術内容をより一層理解するために、本発明に係る実施形態及び図面を参照されたい。但し、当該実施形態又は図面などは単に本発明を説明または参考するために用いられるもので、本発明に対して如何なる制限はない。
【実施例】
【００１１】
（第１実施例）
図１乃至図４に示すように、本発明に係る伸縮変形可能なＵＳＢ接続装置は第１のモジュール１００及び第２のモジュール２００を含む。本実施例において、第１のモジュール１００は、ＵＳＢ３．０Ａ型（コンセント）の規格であり、第２のモジュール２００はマイクロＵＳＢ（ＵＳＢ３．０マイクロＢ（Ｍｉｃｒｏ−Ｂ））（プラグ）の規格である。また、第１のモジュール１００及び第２のモジュール２００の規格は、特に制限されておらず、ＵＳＢ  Ａ型、ＵＳＢ  Ｂ型、マイクロＵＳＢ、ミニＵＳＢ３．０若しくはミニＵＳＢ２．０であってもよい。また、第１のモジュール１００及び第２のモジュール２００は、プラグ又はコンセントであってもよい。
【００１２】
第１のモジュール１００は、第１の絶縁本体１と、第１の絶縁本体１の上に設けられる第１の端子ユニット２と、を含む。第１の端子ユニット２は、複数の端子２１、２２を含む。本実施例において、第１の端子ユニット２は、複数の第１の端子２１及び複数の第２の端子２２を含む。複数の第１の端子２１は、第１の絶縁本体１に設けられており、ＵＳＢ２．０の通信プロトコル（ｃｏｍｍｕｎｉｃａｔｉｏｎ ｐｒｏｔｏｃｏｌ）を執行することができる。複数の第２の端子２２は、第１の絶縁本体１に設けられており、複数の第１の端子２１と共同でＵＳＢ３．０の通信プロトコルを執行することができる。複数の第２の端子２２は、二つの高速転送端子と、二つの高速転送端子同士の間に介在する接地端子と、を有するようにしてもよい。
【００１３】
複数の第１の端子２１及び複数の第２の端子２２の先端には第１の接触部２１１及び第２の接触部２２１がそれぞれ形成される。複数の第１の接触部２１１及び複数の第２の接触部２２１は、第１の絶縁本体１の一方の表面に露出するように二列に配列される。複数の第１の接触部２１１及び複数の第２の接触部２２１は、コネクターの端子と対向接続することによってコネクターの端子に電気的に接続される。複数の第１の端子２１及び複数の第２の端子２２の後端には第１の半田付け部２１２及び第２の半田付け部２２２がそれぞれ形成される。複数の第１の半田付け部２１２及び複数の第２の半田付け部２２２は、第１の絶縁本体１の外部に突出されており、半田付けによりケーブル若しくは回路基板に電気的に接続されるのに用いられる。また、複数の第１の半田付け部２１２及び複数の第２の半田付け部２２２は他の装置に電気的に接続されるようにしてもよく、特に制限がない。
【００１４】
第１の絶縁本体１は、ホルダー部１１及びストッパー部１２を有する。ストッパー部１２は、ホルダー部１１の頂面に突出するようにホルダー部１１の後端に接続される。複数の第１の端子２１の第１の接触部２１１及び複数の第２の端子２２の第２の接触部２２１は、ホルダー部１１の一方の表面に露出する。
【００１５】
第２のモジュール２００は、第２の絶縁本体３と、第２の絶縁本体３の上に設けられる第２の端子ユニット４と、を含む。第２の絶縁本体３は、大体扁平板状を呈する。第２の端子ユニット４は、複数の端子４１、４２を含む。本実施例において、第２の端子ユニット４は、複数の第３の端子４１及び複数の第４の端子４２を含む。複数の第３の端子４１は、第２の絶縁本体３に設けられており、ＵＳＢ２．０の通信プロトコルを執行することができる。複数の第４の端子４２は、第２の絶縁本体３に設けられており、複数の第３の端子４１と共同でＵＳＢ３．０の通信プロトコルを執行することができる。複数の第４の端子４２は、二つの高速転送端子と、二つの高速転送端子同士の間に介在する接地端子と、を有するようにしてもよい。
【００１６】
複数の第３の端子４１及び複数の第４の端子４２の先端には第３の接触部４１１及び第４の接触部４２１がそれぞれ形成される。複数の第３の接触部４１１及び複数の第４の接触部４２１は、第２の絶縁本体３の一方の表面に露出するように一列に配列される。複数の第３の接触部４１１及び複数の第４の接触部４２１は、コネクターの端子と対向接続することによってコネクターの端子に電気的に接続される。複数の第３の端子４１及び複数の第４の端子４２の後端には第１の電気的接続手段４１２及び第２の電気的接続手段４２２がそれぞれ形成される。複数の第１の電気的接続手段４１２及び複数の第２の電気的接続手段４２２は、第２の絶縁本体３の外部に突出されており、複数の第１の接触部２１１及び複数の第２の接触部２２２に選択的に接続されることによって第２の端子ユニット４と第１の端子ユニット２を選択的で電気的に接続させるのに用いられる。第２の絶縁本体３及び第２の端子ユニット４の外部は金属ハウジングによって被覆されるようにしてもよい。
【００１７】
本実施例において、第１の端子ユニット２は複数の第１の端子２１及び複数の端子２２を含み、第２の端子ユニット４は複数の第３の端子４１及び複数の第４の端子４２を含むようにしているが、これに限定されていない。即ち、第１の端子ユニット２及び第２の端子ユニット４の端子数量及び形式はニーズに応じて変更することができる。
【００１８】
第２のモジュール２００は、第１のモジュール１００の上に前後移動可能に設置される。即ち、第２のモジュール２００は、第１の絶縁本体１のホルダー部１１の上に前後移動可能に設置される。第２のモジュール２００は、第１の位置と第２の位置との間に移動される。第２のモジュール２００が前方に向かって第１の位置までに移動されると（図５に示すように）、複数の第１の電気的接続部４１２及び複数の第２の電気的接続部４２２は、対応する複数の第１の接触部２１１及び複数の第２の接触部２２１に接触することによって、第２の端子ユニット４と第１の端子ユニット２を電気的に接続させる。即ち、第２の端子ユニット４及び第１の端子ユニット２が接続するケーブル又は回路基板などの装置は電気的接続状態を呈しているため、第２のモジュール２００は使用可能な状態となる。
【００１９】
第２のモジュール２００が後方に向かって第２の位置までに移動されると（図４に示すように）、複数の第１の電気的接続部４１２及び複数の第２の電気的接続部４２２は、複数の第１の接触部２１１及び複数の第２の接触部２２１から離れることによって、第２の端子ユニット４と第１の端子ユニット２を電気的に分離させる。即ち、第２の端子ユニット４及び第１の端子ユニット２が接続するケーブル又は回路基板などの装置は非電気的接続状態を呈しているため、第２のモジュール２００は非使用状態となる。この場合、第１のモジュール１００の前段部が露出される。即ち、第１の絶縁本体１の前段部、複数の第１の端子２１の第１の接触部２１１及び複数の第２の端子２２の第２の接触部２２１が露出され、これにより、第１のモジュール１００は使用可能な状態となる。これにより、第２のモジュール２００を前後移動させるようにすれば、第１のモジュール１００又は第２のモジュール２００に自在に切り換えて使用できるようにＵＳＢ接続装置を伸縮変形させることができる。
【００２０】
第２のモジュール２００の前段部分は回転可能な設計を更に採用してもよい。即ち、第２のモジュール２００を前段部２０１及び後段部２０２に区分し、前段部２０１と後段部２０２との間にヒンジ構造２０３により相互にヒンジ接続し合う。これにより、第２のモジュール２００を前方に向かって第１の位置までに移動させると、（図６及び図７に示すように）更に上方向きに回転させることができるため、使用に便利となる。また、前段部２０１及び後段部２０２の上に設けられる複数の第３の端子４１及び複数の第４の端子４２も対応的に二つの部分（図示せず）に区分される。二つの部分の間に、導線、導電片若しくは軟性回路基板などにより接続される。
【００２１】
第２のモジュール２００が第１のモジュール１００の上に設置されるのに用いられる構造については特に制限がない。例えば、スライド、係止フック、スライドカバー（ｓｌｉｄｅ ｃｏｖｅｒ）若しくは他の方式により、第２のモジュール２００を第１のモジュール１００の上に設置されるようにしてもよい。本実施例において、第２のモジュール２００を金属ハウジングであるスライドカバー３００の内部に固定してから、第２のモジュール２００が固定されているスライドカバー３００を第１の絶縁本体１のホルダー部１１の上に嵌設され、これにより、第２のモジュール２００は第１のモジュール１００の上に前後移動可能に設置される。第２のモジュール２００が後方に向かって第２の位置までに移動されると、第２のモジュール２００及びスライドカバー３００の後端は第１の絶縁本体１のストッパー部１２に抵触することによって位置決めされる（図４に示すように）。また、位置決め構造については特に制限がない。第２のモジュール２００が前方に向かって第１の位置までに移動されたり後方に向かって第２の位置までに移動されたりする場合、凸部やフックなどのストッパー位置決め機能を有する適切な位置決め構造を設置することによって位置決めすることができる。
【００２２】
また、第２のモジュール２００の前段部２０１の第２の絶縁本体３を左右両部分に分ける。複数の第３の端子４１及び複数の第４の端子４２は、第２の絶縁本体３の左右両部分にそれぞれ設置される。また、第２の絶縁本体３、第３の端子４１及び第４の端子４２の外部を被覆する金属ハウジング４３も対応的に左右両部分に分かられる。これにより、第２のモジュール２００には、左右並列の独立の第１のユニットＡ及び第２のユニットＢが形成される。第１のユニットＡ及び第２のユニットＢのそれぞれは、上下回転で移動することができる。即ち、第１のユニットＡ又は第２のユニットＢを上向きに回転してもよく（図６に示すように）、第１のユニットＡ及び第２のユニットＢを上向きに回転してもよい（図ｙ７に示すように）。これにより、第１のユニットＡ及び第２のユニットＢを単独で使用してもよく合併で使用してもよいため、用途が広くて使用に便利となる。
【００２３】
第２モジュール２００の上に押しボタン２０４が更に突設されるようにしてもよい。押しボタン２０４は、第２の絶縁本体３の頂面又は一側に突設されるようにしてもよい。本実施例において、押しボタン２０４は、第２の絶縁本体３の頂面に突設されており、スライドカバー３００における対応する穿孔３０１を挿通する。これにより、第２のモジュール２００を前後移動させるように押しボタン２０４を押すことができる。
【００２４】
（第２の実施例）
図７に示すように、第１の実施例との相違点として、第２の実施例において、第１の絶縁本体１及び第１の端子ユニット２の外部が外装ケース２３に包まれることにある。閉鎖式外装ケース２４が設置される場合、第２のモジュール２００が後方に向かって第２の位置までに移動される時、第２のモジュール２００は上向きに回転することができない。第２のモジュール２００が前方に向かって第１の位置までに移動される時のみ、第２のモジュール２００は上向きに回転することができる。本実施例において、外装ケース２３には縦方向に延伸する摺動溝２３１が設けられる。第２のモジュール２００の押しボタン２０４は、摺動溝２３１の中に移動可能に設置される。摺動溝２３１により、第２のモジュール２００を前後移動させるように第２のモジュール２００をガイドすることができる。
【００２５】
（第３の実施例）
図８乃至図１０に示すように、上述した実施例との相違点として、第３の実施例において、第１の端子ユニット２は複数の第１の端子２１のみを含み、第２の端子ユニット４は複数の第３の端子４１のみを含むことにある。第１のモジュール１００はＵＳＢ２．０Ａ型の規格などであり、第２のモジュール２００はマイクロＵＳＢ（ＵＳＢ２．０Ｍｉｃｒｏ−Ｂ）などの規格であってもよい。本実施例において、複数の第１の端子２１には第１の接触部２１１及び第１の半田付け部２１２がそれぞれ形成され、複数の第３の端子４１には第３の接触部４１１及び第１の電気的接続部４１２がそれぞれ形成される。第２のモジュール２００は第１のモジュール１００の上に前後移動可能に設置される。第２のモジュール２００が第１の位置までに移動されると、複数の第１の電気的接続部４１２は対応する複数の第１の接触部２１１に接触し、これにより、第２の端子ユニット４と第１の端子ユニット２を電気的に接続させる。一方、第２のモジュール２００が第２の位置までに移動されると、複数の第１の電気的接続部４１２が複数の第１の接触部２１１から離れ、これにより、第２の端子ユニット４と第１の端子ユニット２を電気的に分離させる。本実施例において、押しボタン２０４は、第２の絶縁本体３の一側に突設されており、スライドカバー３００における対応する穿孔３０１を挿通する。
【００２６】
（第４の実施例）
図１１に示すように、第４の実施例において、ＵＳＢ接続装置は、ＵＳＢ集線装置（ＵＳＢ ｈｕｂ ｄｅｖｉｃｅ）４００に電気的に接続されることによって、ＵＳＢ集線装置４００における回路に電気的に接続される。第２のモジュール２００を前後移動させやすいため、第２のモジュール２００の上に押しボタン２０４が突設されるようにしてもよい。
【００２７】
（第５の実施例）
図１２に示すように、第５の実施例において、ＵＳＢ接続装置は給電装置５００に接続される。給電装置５００は、給電モジュール５０１を備える。給電モジュール５０１はＵＳＢ接続装置に電気的に接続される。給電モジュール５０１は、充電可能な電池モジュールであることが好ましいが、その形式については特に制限がない。給電モジュール５０１は、電力を供給する機能を有する装置であればよい。また、第２のモジュール２００を前後移動させやすいため、第２のモジュール２００の上に押しボタン２０４が突設されるようにしてもよい。
【００２８】
（第６の実施例）
図１３に示すように、第６の実施例において、第２のモジュール２００はスライドカバー３００の中に固定される。スライドカバー３００は、大体Ｕ字形のハウジングである。スライドカバー３００の底部には二つのフック部３０２が形成される。二つのフック部３０２がホルダー部１１の底面にフックするように、第２のモジュール２００が固定されているスライドカバー３００を第１の絶縁本体１のホルダー部１１の上に嵌設する。これにより、第２のモジュール２００は第１のモジュール１００の上に前後移動可能に設置される。
【００２９】
（第７の実施例）
図１４に示すように、第７の実施例において、各第１の端子２１の前端には、異なる前後位置に位置する二つの第１の接触部２１１が形成される。各第２の端子２２の前端には、異なる前後位置に位置する二つの第２の接触部２２１が形成される。第２のモジュール２００が第１の位置又は第２の位置までに選択的に移動されると、複数の第１の電気的接続部４１２及び複数の第２の電気的接続部４２２は対応する複数の第１の接触部２１１及び複数の第２の接触部２２１に接触し、これにより、第２の端子ユニット４と第１の端子ユニット２を電気的に接続させる。
【００３０】
（第８の実施例）
図１５に示すように、第８の実施例に係る伸縮変形可能な接続装置において、第１のモジュール１００及び第２のモジュール２００は、高解像度マルチメディアインターフェース（Ｈｉｇｈ  Ｄｅｆｉｎｉｔｉｏｎ  Ｍｕｌｔｉｍｅｄｉａ  Ｉｎｔｅｒｆａｃｅ、以下、ＨＤＭＩ（登録商標）と称する）若しくは他の規格であってもよく、ＵＳＢの規格のみに制限されていない。第１のモジュール１００及び第２のモジュール２００は、ＨＤＭＩ（登録商標）  Ａ型、ＨＤＭＩ（登録商標）  Ｂ型、ＨＤＭＩ（登録商標）  Ｃ型、ＨＤＭＩ（登録商標）  Ｄ型若しくはＨＤＭＩ（登録商標）  Ｅ型などの規格であってもよい。本実施例において、第１のモジュール１００はＨＤＭＩ（登録商標）  Ａ型のコンセントであり、第２のモジュール２００はＨＤＭＩ（登録商標）  Ｃ型のプラグであるようにしてもよい。第１のモジュール１００は、第１の絶縁本体１及び第１の端子ユニット２を含む。第２のモジュール２００は、第２の絶縁本体３及び第２の端子ユニット４を含む。第１の絶縁本体１及び第１の端子ユニット２はＨＤＭＩ（登録商標）  Ａ型の規格に準拠し、第２の絶縁本体３及び第２の端子ユニット４はＨＤＭＩ（登録商標）  Ｃ型の規格に準拠する。他の構造及び作用は上述した実施例と大体同じであるため、その説明を省略する。
【００３１】
（第９の実施例）
図１６に示すように、第９の実施例に係る伸縮変形可能な接続装置において、第１のモジュール１００及び第２のモジュール２００は、ＨＤＭＩ（登録商標）若しくはミニディスプレーポート（Ｍｉｎｉ ｄｉｓｐｌａｙ ｐｏｒｔ）などの規格であってもよい。第９の実施例において、第１のモジュール１００はミニディスプレーポート規格のコンセントであり、第２のモジュール２００はＨＤＭＩ（登録商標）  Ｄ型規格のプラグであるようにしてもよい。第１のモジュール１００は、第１の絶縁本体１及び第１の端子ユニット２を含む。第２のモジュール２００は、第２の絶縁本体３及び第２の端子ユニット４を含む。第１の絶縁本体１及び第１の端子ユニット２はミニディスプレーポートの規格に準拠し、第２の絶縁本体３及び第２の端子ユニット４はＨＤＭＩ（登録商標）  Ｄ型の規格に準拠する。他の構造及び作用は上述した実施例と大体同じであるため、その説明を省略する。
【００３２】
（第１０、第１１の実施例）
図１７及び図１８に示すように、第１０、第１１の実施例において、接続装置の両側には、アダプター６００を結合させるためのスライド溝２３２又はヒンジ接続部２３３がそれぞれ形成される。アダプター６００は二つの結合アーム６０１を有する。二つの結合アーム６０１の内縁面には、ヒンジ接続部６０２又はスライド溝２３２がそれぞれ形成される。接続装置がアダプター６００に結合されると、接続装置はアダプター６００と相互に電気的に接続する。また、アダプター６００に設けられたヒンジ接続部６０２又はスライド溝６０３と接続装置に設けられたスライド溝２３２又はヒンジ接続部２３３との間のスライド作用によれば、接続装置が使用しない時、二つの結合アーム６０１の間に移動すると共に異なる方向に回転することができるため、アダプター６００を取り外すことなく接続装置を単独で使用することができ、ひいては使用に一層便利となる。
【００３３】
（第１２の実施例）
図１９に示すように、第１２の実施例において、接続装置の両側には、他の接続装置を結合させるための二つの結合アーム２３４がそれぞれ形成される。二つの結合アーム２３４の内縁面にはヒンジ接続部２３５がそれぞれ形成される。
【００３４】
本発明に係る接続装置において、伸縮変形可能な設計を採用し、第２のモジュール２００が第１のモジュール１００の上に前後移動可能に設置されるため、ユーザーが第１のモジュール１００若しくは第２のモジュール２００を自由に選択でき、これにより、用途が広くて使用に便利となるという効果を奏することができる。
【００３５】
本発明において、第２のモジュール２００には、それぞれ上下回転することができるように二つの独立の第１のユニットＡ及び第２のユニットＢが形成される。必要に応じて単独使用又は合併使用することができるため、用途が広くて使用に一層便利となると共に、延長機能及びアダプター機能を有する。
【００３６】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【符号の説明】
【００３７】
１  第１の絶縁本体
１１  ホルダー部
１２  ストッパー部
１００  第１のモジュール
２  第１の端子ユニット
２１  第１の端子
２１１  第１の接触部
２１２  第１の半田付け部
２２  第２の端子
２００  第２のモジュール
２０１  前段部
２０２  後段部
２０３  ヒンジ構造
２０４  押しボタン
２２１  第２の接触部
２２２  第２の半田付け部
２３  外装ケース
２３１  摺動溝
２３２  スライド溝
２３３  ヒンジ接続部
２３４  結合アーム
２３５  ヒンジ接続部
３  第２の絶縁本体
３００  スライドカバー
３０１  穿孔
３０２  フック部
４  第２の端子ユニット
４００  ＵＳＢ集線装置
４１  第３の端子
４１１  第３の接触部
４１２  第１の電気的接続部
４２  第４の端子
４２１  第４の接触部
４２２  第２の電気的接続部
４３  金属ハウジング
５００  給電装置
５０１  給電モジュール
６００  アダプター
６０１  結合アーム
６０２  ヒンジ接続部
６０３  スライド溝
Ａ  第１のユニット
Ｂ  第２のユニット
【図１】
2014041825.tif 000003
【図２】
2014041825.tif 000004
【図３】
2014041825.tif 000005
【図４】
2014041825.tif 000006
【図５】
2014041825.tif 000007
【図６】
2014041825.tif 000008
【図７】
2014041825.tif 000009
【図８】
2014041825.tif 000010
【図９】
2014041825.tif 000011
【図１０】
2014041825.tif 000012
【図１１】
2014041825.tif 000013
【図１２】
2014041825.tif 000014
【図１３】
2014041825.tif 000015
【図１４】
2014041825.tif 000016
【図１５】
2014041825.tif 000017
【図１６】
2014041825.tif 000018
【図１７】
2014041825.tif 000019
【図１８】
2014041825.tif 000020
【図１９】
2014041825.tif 000021